(57)【要約】少なくとも１つのメッセージングシステムと、可変の強度照明を有するユーザインターフェースエレメントと、選択可能な周波数モードを有する周波数変更モジュールと、動作モードスイッチと、前記メッセージングシステム、前記ユーザインターフェースエレメント、前記周波数変更モジュール、及び前記動作モードスイッチに結合したデータプロセッサと、を有する携帯機器。前記データプロセッサは、動作モードスイッチの作動に従って、ユーザインターフェースエレメントの前記照明強度を調整し、前記周波数変更モジュールの前記周波数モードを変更し、カスタマイズされた出力を提供するように構成された少なくとも１つのソフトウェアアプリケーションを含む。前記カスタマイズされた出力は、前記少なくとも１つの携帯機器メッセージングシステムを統合する。【選択図】図４
2015532792.tif 000002
【特許請求の範囲】
【請求項１】
少なくとも１つのメッセージングシステムと、
可変の強度照明を有するユーザインターフェースエレメントと、
選択可能な周波数モードを有する周波数変更モジュールと、
動作モードスイッチと、
前記メッセージングシステム、前記ユーザインターフェースエレメント、前記周波数変更モジュール、及び前記動作モードスイッチに結合したデータプロセッサと、を含む携帯機器であって、前記データプロセッサは、動作モードスイッチの作動に従って、ユーザインターフェースエレメントの前記照明強度を調整し、前記周波数変更モジュールの前記周波数モードを変更し、カスタマイズされた出力を提供するように構成された少なくとも１つのソフトウェアアプリケーションを含み、前記カスタマイズされた出力は、前記少なくとも１つの携帯機器メッセージングシステムを統合することを特徴とする携帯機器。
【請求項２】
前記周波数変更モジュールが、第１周波数モードと第２周波数モードとの選択を可能にするように構成されることを特徴とする、請求項１に記載の携帯機器。
【請求項３】
前記第１周波数モードが、聴覚信号を提供し、前記第２周波数モードが、振動信号を提供することを特徴とする、請求項１または請求項２に記載の携帯機器。
【請求項４】
前記メッセージングシステムが、ＳＭＳ、電子メール、ＭＭＳ、チャットクライアント及びソーシャルネットワーククライアントからなるグループから選択されることを特徴とする、請求項１、請求項２または請求項３に記載の携帯機器。
【請求項５】
前記カスタマイズされた出力が、前記ユーザインターフェースエレメントの少なくとも1つの上に表示されることを特徴とする、請求項１から請求項４のいずれかに記載の携帯機器。
【請求項６】
少なくとも１つのメッセージングシステムを提供することと、
可変の強度照明を有するユーザインターフェースエレメントを提供することと、
選択可能な周波数モードを有する周波数変更モジュールを提供することと、
動作モードスイッチを提供することと、
前記メッセージングシステム、前記ユーザインターフェースエレメント、前記周波数変更モジュール及び前記動作モードスイッチに結合したデータプロセッサを提供することと、を含む携帯機器の動作モードを制御する方法であって、前記データプロセッサは、動作モードスイッチの作動に従って、ユーザインターフェースエレメントの前記照明強度を調整し、前記周波数変更モジュールの前記周波数モードを変更し、カスタマイズされた出力を提供するように構成された少なくとも１つのソフトウェアアプリケーションを含み、前記カスタマイズされた出力が、前記少なくとも１つの携帯機器メッセージングシステムを統合する方法。
【請求項７】
前記周波数変更モジュールが、第１周波数モードと第２周波数モードとの選択を可能にするように構成されることを特徴とする、請求項６に記載の方法。
【請求項８】
前記第１周波数モードが、聴覚信号を提供し、前記第２周波数モードが、振動信号を提供することを特徴とする、請求項６または請求項７に記載の方法。
【請求項９】
前記メッセージングシステムが、ＳＭＳ、電子メール、ＭＭＳ、チャットクライアント及びソーシャルネットワーククライアントからなるグループから選択されることを特徴とする、請求項６、請求項７または請求項８に記載の方法。
【請求項１０】
前記カスタマイズされた出力が、前記ユーザインターフェースエレメントの少なくとも1つの上に表示されることを特徴とする、請求項６から請求項９のいずれかに記載の携帯機器。
【請求項１１】
第１動作モード及び第２動作モードによる少なくとも１つのメッセージングシステムを有する携帯機器を制御するための動作モードスイッチであって、前記動作モードの作動は、前記第１動作モードから前記第２動作モードへ自動的に切り替わるように構成され、前記第２動作モードにおいては視覚的な特徴の変更、聴覚的な特徴の変更及び前記少なくとも１つのメッセージングシステムの統合が同時に起きることを特徴とする動作モードスイッチ。
【請求項１２】
前記聴覚による特徴の変更は、第１聴覚モードと第２聴覚モードとの選択を可能にするように構成されることを特徴とする、請求項１１に記載の動作モードスイッチ。
【請求項１３】
前記第１聴覚モードは、聴覚信号を提供し、前記第２聴覚モードは、振動信号を提供することを特徴とする、請求項１１または請求項１２に記載の動作モードスイッチ。
【請求項１４】
前記視覚による特徴の変更は、前記携帯機器の照明強度の変更を可能にするように構成されることを特徴とする、請求項１１、請求項１２または請求項１３に記載の動作モードスイッチ。
【請求項１５】
前記メッセージングシステムが、ＳＭＳ、電子メール、ＭＭＳ、チャットクライアント及びソーシャルネットワーククライアントからなるグループから選択されることを特徴とする、請求項１１、請求項１２、請求項１３または請求項１４に記載の動作モードスイッチ。
【発明の詳細な説明】
【技術分野】
【０００１】
本発明は、携帯機器に関し、より具体的には、携帯機器における動作モードの変更方法に関する。
【背景技術】
【０００２】
従来の携帯機器は、表示部とユーザによるデータ入力を容易にするためのキー操作部を備えている。暗い環境など一定の環境条件における携帯機器の使用は、画面の照明やその他の要因のために障害を有することがある。この問題に対する解決が必要である。
【０００３】
以下の刊行物が現在の最新の技術を示すと考えられている。
【０００４】
米国特許番号第８，１８４，４２３号；第６，８１３，４９１号；第６，２４６，７６１号；第８，０６３，８６９号及び第７，１１７，０１９号
【０００５】
米国特許出願公開番号ＵＳ２００４０１２７１９８；ＵＳ２００９０３０７６１６；ＵＳ２００４００１２５５６及びＵＳ２００８００４５２０７
【０００６】
国際特許公開番号ＥＰ１７０１３３１及びＥＰ１８９２６１２
【発明の概要】
【０００７】
本発明は、改善された機能を有する携帯機器を提供することを目的とする。
【０００８】
そこで、本発明の好ましい実施形態に基づいて、少なくとも１つのメッセージングシステムと、可変の強度照明を有するユーザインターフェースエレメントと、選択可能な周波数モードを有する周波数変更モジュールと、動作モードスイッチと、前記メッセージングシステム、前記ユーザインターフェースエレメント、前記周波数変更モジュール、及び前記動作モードスイッチに結合したデータプロセッサを有する携帯機器が提供される。前記データプロセッサは、動作モードスイッチの作動に従って、ユーザインターフェースエレメントの前記照明強度を調整し、前記周波数変更モジュールの前記周波数モードを変更し、カスタマイズされた出力を提供するように構成された少なくとも１つのソフトウェアアプリケーションを含む。前記カスタマイズされた出力は、前記少なくとも１つの携帯機器メッセージングシステムを統合する。
【０００９】
前記周波数変更モジュールが、第１周波数モードと第２周波数モードとの選択を可能にするように構成されることが好ましい。
【００１０】
前記第１周波数モードが、聴覚信号を提供し、前記第２周波数モードが、振動信号を提供することが有利である。
【００１１】
前記メッセージングシステムが、ＳＭＳ、電子メール、ＭＭＳ、チャットクライアント及びソーシャルネットワーククライアントからなるグループから選択されることが好ましい。
【００１２】
前記カスタマイズされた出力が、前記ユーザインターフェースエレメントの少なくとも1つの上に表示されることが好ましい。
【００１３】
そこで、本発明の好ましい実施形態に基づいて、下記のことを含む、携帯機器の動作モードを制御する方法が提供される。即ち、少なくとも１つのメッセージングシステムを提供することと、可変の強度照明を有するユーザインターフェースエレメントを提供することと、選択可能な周波数モードを有する周波数変更モジュールを提供することと、動作モードスイッチを提供することと、前記メッセージングシステム、前記ユーザインターフェースエレメント、前記周波数変更モジュール、及び前記動作モードスイッチに結合したデータプロセッサを提供することとを含む。前記データプロセッサは、動作モードスイッチの作動に従って、ユーザインターフェースエレメントの前記照明強度を調整し、前記周波数変更モジュールの前記周波数モードを変更し、カスタマイズされた出力を提供するように構成された少なくとも１つのソフトウェアアプリケーションを含む。前記カスタマイズされた出力は、前記少なくとも１つの携帯機器メッセージングシステムを統合する。
【００１４】
前記周波数変更モジュールが、第１周波数モードと第２周波数モードとの選択を可能にするように構成されることが好ましい。
【００１５】
前記第１周波数モードが、聴覚信号を提供し、前記第２周波数モードが、振動信号を提供することが有利である。
【００１６】
前記メッセージングシステムが、ＳＭＳ、電子メール、ＭＭＳ、チャットクライアント及びソーシャルネットワーククライアントからなるグループから選択されることが好ましい。
【００１７】
前記カスタマイズされた出力が、前記ユーザインターフェースエレメントの少なくとも1つの上に表示されることが好ましい。
【００１８】
そこで、本発明の好ましい実施形態に基づいて、第１動作モード及び第２動作モードによる少なくとも１つのメッセージングシステムを有する携帯機器を制御するための動作モードスイッチが提供される。動作モードの作動は、前記第１動作モードから前記第２動作モードへ自動的に切り替わるように構成され、前記第２動作モードにおいては、視覚的な特徴の変更、聴覚的な特徴の変更及び前記少なくとも１つのメッセージングシステムの統合が同時に起きる。
【００１９】
前記聴覚による特徴の変更が、第１聴覚モードと第２聴覚モードとの選択を可能にするように構成されることが好ましい。
【００２０】
第１聴覚モードが、聴覚信号を提供し、第２聴覚モードは、振動信号を提供することが好ましい。
【００２１】
前記視覚による特徴の変更が、携帯機器の照明強度の変更を可能にするように構成されることが有利である。
【００２２】
前記メッセージングシステムが、ＳＭＳ、電子メール、ＭＭＳ、チャットクライアント及びソーシャルネットワーククライアントからなるグループから選択されることが好ましい。
【図面の簡単な説明】
【００２３】
本発明は、以下の発明の詳細な説明と以下の図面とを併せ読むことによって、より明確に理解され、認識されるだろう。
【００２４】
【図１】図１は、本発明の１つの実施形態によるメイン画面の外観を簡略化して表示したものである。
【図２】図２は、本発明の１つの実施形態による設定画面の外観を簡略化して表示したものである。
【図３】図３は、本発明の１つの実施形態による作動した動作モードスイッチ段階におけるカスタマイズされた出力画面を簡略化して表示したものである。
【図４】図４は、本発明の１つの実施形態に基づいて採用した動作モードの変更方法を概観して簡略化したフローチャートである。
【発明を実施するための形態】
【００２５】
本発明の実施形態は、携帯機器１００と携帯機器動作モードの変更方法に関する。携帯機器とは、例えば、携帯電話、タブレット、オンラインブック、スマートフォン、電子書籍リーダーまたはその他の任意の携帯即ちポータブル機器である。
【００２６】
携帯機器１００は、表示部、キー操作部、入力ボタンまたはタッチ画面などの少なくとも１つのユーザインターフェースエレメント１０２を有する。少なくとも１つのユーザインターフェースエレメント１０２は、異なる環境条件に適合するために、少なくとも１つのユーザインターフェースエレメント１０２に提供される背面照明の強度が、ユーザの手で調整できるか、或いは特定のソフトウェアによって自動的に調整できるように、可変の強度照明を有していることが好ましい。
【００２７】
また、携帯機器１００は、音声機器と振動機器を有している。選択可能な周波数モードを有する周波数変更モジュールが、携帯機器と結合して、携帯機器の出力モードを聴覚モードから触覚モードへ、若しくはその逆へ、またはそれらの組合せへと選択可能に変更するように構成されるが、聴覚による出力は、スピーカーなどの聴覚機器により提供され、触覚による出力は、振動スピーカーなどの振動機器により提供されるのが好ましい。異なる環境条件に適合するために、周波数変更モジュールのいくつかの選択可能な周波数モードは、ユーザの手で、または、特定のソフトウェアによって自動的に変更することができる。
【００２８】
加えて、携帯機器１００は、例えば、ＳＭＳ、ＭＭＳ、電子メール、チャット、及び様々なソーシャルネットワークメッセージングシステムなどのメッセージングシステムを少なくとも１つ有する。
【００２９】
携帯機器１００は、機器の動作全般を制御し、好ましくは上記の少なくとも１つのユーザインターフェースエレメント１０２、メッセージングシステムの少なくとも１つ、及び周波数変更モジュールと結合するデータプロセッサを含む。異なるソフトウェアアプリケーションは、携帯機器動作モードを制御するために、携帯機器データプロセッサと一体化することができる。
【００３０】
動作モードスイッチが、携帯機器データプロセッサと結合していることが本発明の特別な特徴であり、ソフトウェアは、動作モードスイッチが作動すると、携帯機器の動作モードの所定の変更一式を行うように構成される。動作モードスイッチが作動すると行われる特別な所定の変更一式については、以下で詳細に記載する。
【００３１】
携帯機器の表示部であってもよい少なくとも１つのユーザインターフェースエレメント１０２の可変の照明強度は、自動的に変化する。背面照明の強度は、暗い環境条件に適合するように減じられることが好ましく、テキストフォント照明は、読書ができるように強度を増すことができる。
【００３２】
周波数変更モジュールの選択可能な周波数モードは、所定の環境条件に適合するために触覚による出力を行い、聴覚による出力を避けるように調整されることが好ましい。
【００３３】
動作モードスイッチが作動すると同時に、カスタマイズされた出力１０４が提供されることが本発明の特別な特徴である。一般的に、カスタマイズされた出力は、携帯機器１００の少なくとも１つのメッセージングシステムと統合する。例えば、ＳＭＳメッセージアプリケーション、電子メールアプリケーション、そして所定のチャットアプリケーションが携帯機器１００において構成される場合、これらのアプリケーション全てが統合され、単一画面に表示され、これがカスタマイズされた出力１０４を構成する。
【００３４】
携帯機器１００において提供されるその他の特徴が、例えば、テキストフォントスタイル、テキストフォントサイズ、携帯機器表示部の明度などの動作モードスイッチを採用することによって変更できることが理解される。これらの特徴は、動作モードスイッチが作動するのと同時に、または、動作モードスイッチが作動した直後にユーザが手で変更することもできる。
【００３５】
カスタマイズされた出力１０４により、機能全てが１つの画面に統合され、ユーザは一定の制限のある携帯機器の諸機能を享受できる。
【００３６】
第１動作モードスイッチが作動すると、ユーザは、一般的に以下の初期設定を画定するよう要求されると理解される。
【００３７】
１）ユーザは、例えば、機械的にボタンを押すかタッチスクリーンによる作動により、動作モードスイッチを作動させる。
【００３８】
２）カスタマイズされた出力のメイン画面が表示され、その中に「設定」を選択するオプションがある。
【００３９】
３）ユーザは、「設定」を選択する。
【００４０】
４）ユーザは、例えばバック照明、テキストフォントスタイル、テキストフォントサイズまたは携帯機器表示部の明度などの、ユーザインターフェースエレメントの少なくとも１つのうち少なくとも１つの特徴を調整し、「適用」オプションを押す。
【００４１】
上記の初期設定プロセスに続いて、上記留意した初期設定が自動的に適用されるように動作モードスイッチの作動に際してカスタマイズされた出力１０４が提供される。
【００４２】
動作モードスイッチの作動のみならず、終了、オンとオフとがユーザの手で行われ、または、ソフトウェアによって自動的に行われることが理解される。
【００４３】
動作モードスイッチの作動時のメイン画面は、図１の簡略化したメイン画面の表示で概略的に記載した、いくつかのオプションを有することが好ましい。
【００４４】
図１では、ユーザが動作モードスイッチを作動させて設定を入力したり終了したりできるオプションを有することがわかる。
【００４５】
動作モードスイッチの作動時に現れる設定画面は、図２の簡略化した設定画面の表示で概略的に記載した、いくつかのオプションを有することが好ましい。
【００４６】
図２では、ユーザが、例えばテキストカラーを好ましくは白色か灰色に変更できるいくつかのオプションを有することがわかる。テキストフォントスタイルやテキストフォントサイズを変更するオプションもある。加えて、設定や終了を適用するオプションもある。
【００４７】
作動した動作モードスイッチ段階のカスタマイズされた出力１０４は、図３の簡略化したカスタマイズされた出力画面の表示で概略的に記載した、いくつかのオプションを有することが好ましい。
【００４８】
図３では、動作モードスイッチの作動時に、ユーザインターフェースエレメントの少なくとも１つの照明強度が減じられ、表示部の明度が、適用された設定通りに調整され、前記携帯機器の前記少なくとも１つのメッセージングシステムからの統合リストが、カスタマイズされた出力画面１０４に表示されることがわかる。
【００４９】
ここで携帯機器の動作モードの変更方法を簡略化したフローチャート表示である図４を参照する。図４では、ユーザは、メッセージの統合リストから任意の特定のメッセージを選択し、かつ応答を作成できることがわかる。
【００５０】
応答を作成するためのウィンドウは、到着するメッセージが引用されるのではなく、ウィンドウが空ですぐにテキスト入力ができるように実装されていることが本発明の特別な特徴である。
【００５１】
当業者は、本発明が、特に実際に示され、上記説明された内容に限定されるものではないことを理解するだろう。そうではなく、本発明の範囲は、上記説明された様々な特徴の組合せも副次的組合せも含み、また、先行技術にはないそうした特徴の変形や修正をも含むものである。
【図１】
2015532792.tif 000003
【図２】
2015532792.tif 000004
【図３】
2015532792.tif 000005
【図４】
2015532792.tif 000006
【国際調査報告】
2015532792.tif 000007
2015532792.tif 000008
2015532792.tif 000009